(57)【特許請求の範囲】
【請求項１】
各ユーザが携帯する端末と、各端末に取り付けられ、該端末の識別情報を格納する端末識別手段と、各物品に取り付けられ、前記端末識別手段に前記識別情報の送信を要求する端末検知手段と、前記物品に関する物品情報を前記端末に供給する物品情報供給手段と、を備える物品管理システムであって、
前記端末検知手段は、
前記端末識別手段が前記要求に応答して送信された前記識別情報のうち、該端末検知手段との距離が所定値以下の該端末識別手段から送信された該識別情報を受信する受信手段と、
前記受信手段によって受信された前記識別情報を前記物品情報供給手段に供給する識別情報供給手段と、
を備え、
前記物品情報供給手段は、
前記物品と前記物品情報とを対応付けて記憶する物品情報記憶手段と、
前記端末検知手段から前記識別情報が供給されたことに応答して、該端末検知手段が取り付けられている前記物品と、該識別情報が示す前記端末と、を特定すると共に、該特定した物品に対応する前記物品情報を前記物品情報記憶手段から検出し、該検出した物品情報を該特定した端末に供給することによって、前記ユーザに、該ユーザの付近にある物品に関する該物品情報を提供する物品情報提供手段と、
前記供給された識別情報の数を前記端末検知手段毎に計数し、該計数結果を一覧表示することによって、該物品情報供給手段の管理者に、各物品の付近にいるユーザの数を報知する物品別ユーザ数報知手段と、
を備える、
ことを特徴とする物品管理システム。
【請求項２】
各ユーザが携帯する端末と、各端末に取り付けられ、該端末の識別情報を格納する端末識別手段と、各物品に取り付けられ、前記端末識別手段に前記識別情報の送信を要求する端末検知手段と、前記物品に関する物品情報を前記端末に供給する物品情報供給手段と、を備える物品管理システムであって、
前記端末検知手段は、
前記端末識別手段が前記要求に応答して送信した前記識別情報のうち、該端末検知手段との距離が所定値以下の該端末識別手段から送信された該識別情報を受信する受信手段と、
前記受信手段によって受信された前記識別情報を前記物品情報供給手段に供給する識別情報供給手段と、
を備え、
前記物品情報供給手段は、
前記物品と前記物品情報とを対応付けて記憶する物品情報記憶手段と、
前記端末検知手段から前記識別情報が供給されたことに応答して、該端末検知手段が取り付けられている前記物品と、該識別情報が示す前記端末と、を特定すると共に、該特定した物品に対応する前記物品情報を前記物品情報記憶手段から検出し、該検出した物品情報を該特定した端末に供給することによって、前記ユーザに、該ユーザの付近にある物品に関する該物品情報を提供する物品情報提供手段と、
前記端末と、該端末の識別情報を該物品情報供給手段に供給したことがある前記端末検知手段と、該端末検知手段が該識別情報を供給した順序と、を対応付けた履歴データを記憶する履歴データ記憶手段と、
を備え、
前記端末は、前記ユーザが今までに辿った経路の通知を前記物品情報供給手段に指示する経路通知指示手段を備え、
前記物品情報提供手段は、前記経路通知指示手段による指示に応答して、前記端末に対応する前記順序を前記履歴データから検出し、該検出した順序を該端末に供給することによって、前記ユーザに、該ユーザが今までに辿った経路を通知する経路通知手段を含む、
ことを特徴とする物品管理システム。
【請求項３】
前記端末は、前記ユーザが未だ付近に行っていない前記物品の通知を前記物品情報供給手段に指示する物品通知指示手段をさらに備え、
前記物品情報提供手段は、前記物品通知指示手段による指示に応答して、前記履歴データから該端末の識別情報を前記物品情報供給手段に未だ供給していない前記端末検知手段を特定し、該特定した端末検知手段が取り付けられている前記物品のリストを作成して前記端末に供給することによって、前記ユーザに、該ユーザが未だ付近に行っていない前記物品を通知する物品通知手段を含む、
ことを特徴とする請求項２に記載の物品管理システム。
【請求項４】
前記端末識別手段は、前記識別情報を無線送信する手段を備え、
前記受信手段は、前記端末識別手段が無線送信した前記識別情報を受信する手段を備え、
前記端末検知手段は、前記受信手段が受信した前記識別情報を前記物品情報供給手段に無線送信する手段を備え、
前記端末は、前記物品情報供給手段が無線送信する前記物品情報を受信する手段を備え、
前記物品情報供給手段は、
前記端末検知手段が無線送信した前記識別情報を受信する手段と、
前記物品情報記憶手段から索出した前記物品情報を前記端末に無線送信する手段と、を備える、
ことを特徴とする請求項１，２又は３に記載の物品管理システム。
【請求項５】
前記端末識別手段は、前記端末検知手段からの要求のうち、該端末識別手段との距離が所定値以下の該端末検知手段からの要求に応じて、前記識別情報を送信する送信手段を備える、
ことを特徴とする請求項１乃至４のいずれか１項に記載の物品管理システム。
【請求項６】
前記物品情報供給手段は、
操作者の操作に従って、検索対象の前記端末を指定する端末検索キーを取得する端末検索キー取得手段と、
前記端末検知手段より取得した前記識別情報が、前記端末検索キー取得手段が取得した前記端末検索キーが指定する前記端末を示すものであるか否かを判別し、当該端末を示すものであると判別したとき、前記端末検索キーが指定する前記端末を示すと判別した前記識別情報を供給した前記端末検知手段を識別するデータを出力する手段と、を備える、
ことを特徴とする請求項１乃至５のいずれか１項に記載の物品管理システム。
【請求項７】
各ユーザが携帯する端末と、各端末に取り付けられ、該端末の識別情報を格納する端末識別手段と、各物品に取り付けられ、前記端末識別手段に前記識別情報の送信を要求する端末検知手段と、前記物品に関する物品情報を前記端末に供給する物品情報供給手段と、を備える物品管理システムにおける混雑状況把握方法であって、
前記端末識別手段が前記要求に応答して送信された前記識別情報のうち、該端末検知手段との距離が所定値以下の該端末識別手段から送信された該識別情報を受信する受信工程と、
前記受信工程によって受信された前記識別情報を前記物品情報供給手段に供給する識別情報供給工程と、
前記物品と前記物品情報とを対応付けて記憶する物品情報記憶工程と、
前記端末検知工程から前記識別情報が供給されたことに応答して、該端末検知手段が取り付けられている前記物品と、該識別情報が示す前記端末と、を特定すると共に、該特定した物品に対応する前記物品情報を前記物品情報記憶工程から検出し、該検出した物品情報を該特定した端末に供給することによって、前記ユーザに、該ユーザの付近にある物品に関する該物品情報を提供する物品情報提供工程と、
前記供給された識別情報の数を前記端末検知手段毎に計数し、該計数結果を一覧表示することによって、該物品情報供給手段の管理者に、各物品の付近にいるユーザの数を報知する物品別ユーザ数報知工程と、
を備える、
ことを特徴とする混雑状況把握方法。
【請求項８】
各ユーザが携帯する端末と、各端末に取り付けられ、該端末の識別情報を格納する端末識別手段と、各物品に取り付けられ、前記端末識別手段に前記識別情報の送信を要求する端末検知手段と、前記物品に関する物品情報を前記端末に供給する物品情報供給手段と、を備える物品管理システムにおけるナビゲーション方法であって、
前記端末識別手段が前記要求に応答して送信した前記識別情報のうち、該端末検知手段との距離が所定値以下の該端末識別手段から送信された該識別情報を受信する受信工程と、
前記受信工程によって受信された前記識別情報を前記物品情報供給手段に供給する識別情報供給工程と、
前記物品と前記物品情報とを対応付けて記憶する物品情報記憶工程と、
前記端末検知手段から前記識別情報が供給されたことに応答して、該端末検知手段が取り付けられている前記物品と、該識別情報が示す前記端末と、を特定すると共に、該特定した物品に対応する前記物品情報を前記物品情報記憶工程から検出し、該検出した物品情報を該特定した端末に供給することによって、前記ユーザに、該ユーザの付近にある物品に関する該物品情報を提供する物品情報提供工程と、
前記端末と、該端末の識別情報を該物品情報供給手段に供給したことがある前記端末検知手段と、該端末検知手段が該識別情報を供給した順序と、を対応付けた履歴データを記憶する履歴データ記憶工程と、
前記ユーザが今までに辿った経路の通知を前記物品情報供給手段に指示する経路通知指示工程と、
前記経路通知指示工程による指示に応答して、前記端末に対応する前記順序を前記履歴データから検出し、該検出した順序を該端末に供給することによって、前記ユーザに、該ユーザが今までに辿った経路を通知する経路通知工程と、
を備える、
ことを特徴とするナビゲーション方法。
【発明の詳細な説明】
【０００１】
【発明の属する技術分野】
この発明は、物品管理システムに関し、特に、室内に収蔵された物品を管理するための物品管理システムに関する。
【０００２】
【従来の技術】
博物館や美術館などでは、所蔵品を管理するために、台帳やカードなどに所蔵品の目録を記載したり、所蔵品の目録を記憶するデータベースを用いたりするのが一般的である。そして、所蔵品の現物と目録とを関連付ける手法としては、例えば、所蔵品を識別するバーコードを、その所蔵品に貼付する等の手法がとられてきた。
【０００３】
また、入館者などが展示されている所蔵品に近づいたとき、その所蔵品を解説する音声などを再生する手法があり、具体的には、例えば、特許−０２５３９５０７に開示されている手法や、特開平７−１５４３２２に開示されている手法がある。
【０００４】
特許−０２５３９５０７の手法にかかる案内システムは、展示物を示すコード情報を受信し、光ディスクなどの記録媒体に予め記録されている案内情報のうち、受信したコード情報が示す展示物を解説する解説音声などのデータを読み出して再生する。
【０００５】
また、特開平７−１５４３２２の手法にかかる個別受信方法は、展示物に対応させて設けられた放送用送信機から、その展示物の案内放送に係るディジタル音声情報を、限定ゾーンに入った受信機に伝送する。そして、受信機は、受信したディジタル音声情報を再生する。
【０００６】
【発明が解決しようとする課題】
しかし、バーコードを所蔵品に貼付する上述の手法では、所蔵品が棚卸し等の結果移動して、所蔵品の管理者等にもその位置が分からなくなってしまった場合、その所蔵品を発見するのが困難になり、所蔵品の目録や上述のバーコードが、その所蔵品の発見に役立つ可能性は事実上ない。
【０００７】
また、所蔵品を検索する場合も、バーコードを所蔵品に貼付する上述の手法では、目的の所蔵品が見つかるまで、各所蔵品に貼付されているバーコードを順次読み取る必要があり、検索は極めて煩雑となり、あるいは、バーコードに頼らずに目的の所蔵品を見分けるための専門的な知識が必要となる。
【０００８】
また、特許−０２５３９５０７の手法では、解説音声などのデータが一元的に管理されない結果、展示物の解説を変更する手順が煩雑になる。しかも、目的とする展示物の位置が不明であるとき、目的の展示物の位置を知るための情報を何ら提供するものではないので、展示物の位置の特定や検索を行うに当たっては、バーコードを所蔵品に貼付する上述の手法と同様の困難を生じる。
【０００９】
また、特開平７−１５４３２２の手法も、目的の展示物の位置を知るための情報を提供しないため、展示物の位置の特定や検索に際しては、バーコードを所蔵品に貼付する上述の手法や特許−０２５３９５０７の手法と同様の困難を生じる。
更に、特開平７−１５４３２２の手法では、放送用送信機は、ディジタル音声情報を一方的に伝送するため、そのディジタル音声情報を受信して再生する受信機は、受信機のユーザが求める情報を、ユーザが求めるタイミングで供給することができない。
【００１０】
この発明は上記実状に鑑みてなされたもので、物品の位置の特定や検索が容易になり、物品に関して記憶する情報が容易に更新され、物品に関しユーザが求める情報が、当該ユーザの求めるタイミングで提供される物品管理システムを提供することを目的とする。
【００１９】
【課題を解決するための手段】
上記目的を達成するため、この発明の第１の観点に係る物品管理システムは、
各ユーザが携帯する端末と、各端末に取り付けられ、該端末の識別情報を格納する端末識別手段と、各物品に取り付けられ、前記端末識別手段に前記識別情報の送信を要求する端末検知手段と、前記物品に関する物品情報を前記端末に供給する物品情報供給手段と、を備える物品管理システムであって、
前記端末検知手段は、
前記端末識別手段が前記要求に応答して送信された前記識別情報のうち、該端末検知手段との距離が所定値以下の該端末識別手段から送信された該識別情報を受信する受信手段と、
前記受信手段によって受信された前記識別情報を前記物品情報供給手段に供給する識別情報供給手段と、
を備え、
前記物品情報供給手段は、
前記物品と前記物品情報とを対応付けて記憶する物品情報記憶手段と、
前記端末検知手段から前記識別情報が供給されたことに応答して、該端末検知手段が取り付けられている前記物品と、該識別情報が示す前記端末と、を特定すると共に、該特定した物品に対応する前記物品情報を前記物品情報記憶手段から検出し、該検出した物品情報を該特定した端末に供給することによって、前記ユーザに、該ユーザの付近にある物品に関する該物品情報を提供する物品情報提供手段と、
前記供給された識別情報の数を前記端末検知手段毎に計数し、該計数結果を一覧表示することによって、該物品情報供給手段の管理者に、各物品の付近にいるユーザの数を報知する物品別ユーザ数報知手段と、
を備える、
ことを特徴とする。
【００２０】
このような物品管理システムによれば、端末検知手段を取り付けられた物品に関する物品情報が、端末検知手段の要求に応じて端末に提供され、端末から出力される。また、端末検知手段により検知された端末の数が端末検知手段別に特定される。従って、端末を携帯する操作者がいずれの物品の周辺に集中しているかが容易に把握され、例えば、博物館内の混雑状況の把握等への応用が容易である。
【００２１】
また、この発明の第２の観点に係る物品管理システムは、
各ユーザが携帯する端末と、各端末に取り付けられ、該端末の識別情報を格納する端末識別手段と、各物品に取り付けられ、前記端末識別手段に前記識別情報の送信を要求する端末検知手段と、前記物品に関する物品情報を前記端末に供給する物品情報供給手段と、を備える物品管理システムであって、
前記端末検知手段は、
前記端末識別手段が前記要求に応答して送信した前記識別情報のうち、該端末検知手段との距離が所定値以下の該端末識別手段から送信された該識別情報を受信する受信手段と、
前記受信手段によって受信された前記識別情報を前記物品情報供給手段に供給する識別情報供給手段と、
を備え、
前記物品情報供給手段は、
前記物品と前記物品情報とを対応付けて記憶する物品情報記憶手段と、
前記端末検知手段から前記識別情報が供給されたことに応答して、該端末検知手段が取り付けられている前記物品と、該識別情報が示す前記端末と、を特定すると共に、該特定した物品に対応する前記物品情報を前記物品情報記憶手段から検出し、該検出した物品情報を該特定した端末に供給することによって、前記ユーザに、該ユーザの付近にある物品に関する該物品情報を提供する物品情報提供手段と、
前記端末と、該端末の識別情報を該物品情報供給手段に供給したことがある前記端末検知手段と、該端末検知手段が該識別情報を供給した順序と、を対応付けた履歴データを記憶する履歴データ記憶手段と、
を備え、
前記端末は、前記ユーザが今までに辿った経路の通知を前記物品情報供給手段に指示する経路通知指示手段を備え、
前記物品情報提供手段は、前記経路通知指示手段による指示に応答して、前記端末に対応する前記順序を前記履歴データから検出し、該検出した順序を該端末に供給することによって、前記ユーザに、該ユーザが今までに辿った経路を通知する経路通知手段を含む、
ことを特徴とする。
【００２２】
このような物品管理システムによれば、端末検知手段を取り付けられた物品に関する物品情報が、端末検知手段の要求に応じて端末に提供され、端末から出力される。また、各端末検知手段が過去に端末を検知した順序を示す情報が該端末に供給される。従って、例えば博物館等において、端末を携帯する入館者をナビゲートするために、その入館者が移動した経路を示す、等への応用が容易である。
【００２３】
前記端末は、前記ユーザが未だ付近に行っていない前記物品の通知を前記物品情報供給手段に指示する物品通知指示手段をさらに備え、
前記物品情報提供手段は、前記物品通知指示手段による指示に応答して、前記履歴データから該端末の識別情報を前記物品情報供給手段に未だ供給していない前記端末検知手段を特定し、該特定した端末検知手段が取り付けられている前記物品のリストを作成して前記端末に供給することによって、前記ユーザに、該ユーザが未だ付近に行っていない前記物品を通知する物品通知手段を含む。
これにより、特定の端末を未だ検知していない端末検知手段が容易に特定される。従って、例えば、端末を携帯する操作者が未だ近づいたことのない物品が容易に特定され、博物館等において、端末を携帯する入館者に、未だその入館者が観覧していない展示品の観覧を勧めるためのナビゲーション、等の目的への応用が容易である。
【００２４】
前記端末識別手段は、前記識別情報を無線送信する手段を備え、
前記受信手段は、前記端末識別手段が無線送信した前記識別情報を受信する手段を備え、
前記端末検知手段は、前記受信手段が受信した前記識別情報を前記物品情報供給手段に無線送信する手段を備え、
前記端末は、前記物品情報供給手段が無線送信する前記物品情報を受信する手段を備え、
前記物品情報供給手段は、
前記端末検知手段が無線送信した前記識別情報を受信する手段と、
前記物品情報記憶手段から索出した前記物品情報を前記端末に無線送信する手段と、を備えるものとすれば、端末識別手段、端末検知手段及び物品情報供給手段は、互いにケーブル等で接続される必要がなくなる。
【００２５】
前記端末識別手段は、前記端末検知手段からの要求のうち、該端末識別手段との距離が所定値以下の該端末検知手段からの要求に応じて、前記識別情報を送信する送信手段を備える、ものであってもよい。
これにより、端末検知手段は、自己と一定の位置関係にある端末識別手段が取り付けられた端末を選択的に検知する。
【００２６】
前記物品情報供給手段は、
操作者の操作に従って、検索対象の前記端末を指定する端末検索キーを取得する端末検索キー取得手段と、
前記端末検知手段より取得した前記識別情報が、前記端末検索キー取得手段が取得した前記端末検索キーが指定する前記端末を示すものであるか否かを判別し、当該端末を示すものであると判別したとき、前記端末検索キーが指定する前記端末を示すと判別した前記識別情報を供給した前記端末検知手段を識別するデータを出力する手段と、を備えるものであってもよい。
これにより、端末識別手段を取り付けられた端末の位置が容易に検索され、検索結果が物品情報供給手段から出力される。従って、例えば、端末を携帯した操作者の位置を見失った場合も、見失われた操作者の現在位置が容易に特定され、迷子の検索等に応用が容易である。
【００２７】
さらに、この発明の第３の観点に係る混雑状況把握方法は、
各ユーザが携帯する端末と、各端末に取り付けられ、該端末の識別情報を格納する端末識別手段と、各物品に取り付けられ、前記端末識別手段に前記識別情報の送信を要求する端末検知手段と、前記物品に関する物品情報を前記端末に供給する物品情報供給手段と、を備える物品管理システムにおける混雑状況把握方法であって、
前記端末識別手段が前記要求に応答して送信された前記識別情報のうち、該端末検知手段との距離が所定値以下の該端末識別手段から送信された該識別情報を受信する受信工程と、
前記受信工程によって受信された前記識別情報を前記物品情報供給手段に供給する識別情報供給工程と、
前記物品と前記物品情報とを対応付けて記憶する物品情報記憶工程と、
前記端末検知工程から前記識別情報が供給されたことに応答して、該端末検知手段が取り付けられている前記物品と、該識別情報が示す前記端末と、を特定すると共に、該特定した物品に対応する前記物品情報を前記物品情報記憶工程から検出し、該検出した物品情報を該特定した端末に供給することによって、前記ユーザに、該ユーザの付近にある物品に関する該物品情報を提供する物品情報提供工程と、
前記供給された識別情報の数を前記端末検知手段毎に計数し、該計数結果を一覧表示することによって、該物品情報供給手段の管理者に、各物品の付近にいるユーザの数を報知する物品別ユーザ数報知工程と、
を備える、
ことを特徴とする。
【００２８】
このような混雑状況把握方法によれば、端末検知手段を取り付けられた物品に関する物品情報が、端末検知手段の要求に応じて端末に提供され、端末から出力される。また、端末検知手段により検知された端末の数が端末検知手段別に特定される。従って、端末を携帯する操作者がいずれの物品の周辺に集中しているかが容易に把握され、例えば、博物館内の混雑状況の把握等への応用が容易である。
【００２９】
また、この発明の第４の観点に係るナビゲーション方法は、
各ユーザが携帯する端末と、各端末に取り付けられ、該端末の識別情報を格納する端末識別手段と、各物品に取り付けられ、前記端末識別手段に前記識別情報の送信を要求する端末検知手段と、前記物品に関する物品情報を前記端末に供給する物品情報供給手段と、を備える物品管理システムにおけるナビゲーション方法であって、
前記端末識別手段が前記要求に応答して送信した前記識別情報のうち、該端末検知手段との距離が所定値以下の該端末識別手段から送信された該識別情報を受信する受信工程と、
前記受信工程によって受信された前記識別情報を前記物品情報供給手段に供給する識別情報供給工程と、
前記物品と前記物品情報とを対応付けて記憶する物品情報記憶工程と、
前記端末検知手段から前記識別情報が供給されたことに応答して、該端末検知手段が取り付けられている前記物品と、該識別情報が示す前記端末と、を特定すると共に、該特定した物品に対応する前記物品情報を前記物品情報記憶工程から検出し、該検出した物品情報を該特定した端末に供給することによって、前記ユーザに、該ユーザの付近にある物品に関する該物品情報を提供する物品情報提供工程と、
前記端末と、該端末の識別情報を該物品情報供給手段に供給したことがある前記端末検知手段と、該端末検知手段が該識別情報を供給した順序と、を対応付けた履歴データを記憶する履歴データ記憶工程と、
前記ユーザが今までに辿った経路の通知を前記物品情報供給手段に指示する経路通知指示工程と、
前記経路通知指示工程による指示に応答して、前記端末に対応する前記順序を前記履歴データから検出し、該検出した順序を該端末に供給することによって、前記ユーザに、該ユーザが今までに辿った経路を通知する経路通知工程と、
を備える、
ことを特徴とする。
【００３０】
このようなナビゲーション方法によれば、端末検知手段を取り付けられた物品に関する物品情報が、端末検知手段の要求に応じて端末に提供され、端末から出力される。また、各端末検知手段が過去に端末を検知した順序を示す情報が該端末に供給される。従って、例えば博物館等において、端末を携帯する入館者をナビゲートするために、その入館者が移動した経路を示す、等への応用が容易である。
【００３２】
【発明の実施の形態】
以下、この発明の実施の形態にかかる物品管理システムを、収蔵庫内の所蔵品の解説を入館者に提供する資料管理システムを例として説明する。
【００３３】
（第１の実施の形態）
図１は、この発明の第１の実施の形態にかかる資料管理システムの物理的構成を示す。
図示するように、この資料管理システムは、サーバ１と、資料管理データベース２と、端末３と、検出機４と、非接触タグ５ａ〜５ｄとからなる。
【００３４】
サーバ１は、ＷＷＷ（Ｗｏｒｌｄ  Ｗｉｄｅ  Ｗｅｂ）サーバ及び無線通信装置を備え、後述するように、端末３から無線送信されたＵＲＬ（Ｕｎｉｆｏｒｍ  Ｒｅｓｏｕｒｃｅ  Ｌｏｃａｔｏｒ）が示す論理的位置にあるコンテンツを資料管理データベース２から読み出し、自己の無線通信装置を介して端末３に無線送信する処理を行う。また、端末３から無線送信される指示に従った後述の動作を行う。
【００３５】
資料管理データベース２は、サーバ１に接続されており、収蔵庫内にある所蔵品の各々を解説する文章や図版を表すコンテンツを記憶している。資料管理データベース２が記憶するコンテンツは、論理的には、資料管理データベース２が有する記憶領域中、同一の所蔵品を解説するもの毎に、単一のＵＲＬにより特定される論理的位置に格納されている。（ただし、当該論理的位置を特定し得るＵＲＬは１個である必要はない。）
【００３６】
端末３は、収蔵庫の入館者等により携帯されるための端末である。端末３は、ＣＰＵ（Ｃｅｎｔｒａｌ  Ｐｒｏｃｅｓｓｉｎｇ  Ｕｎｉｔ）を含む制御部と、ＲＡＭ（Ｒａｎｄｏｍ  Ａｃｃｅｓｓ  Ｍｅｍｏｒｙ）やハードディスク装置等を含む記憶部と、タッチパネル等を含む入力部と、液晶ディスプレイ等を含む出力部と、無線通信装置とを備え、検出機４を装着している。
【００３７】
端末３の制御部は、端末３をＷＷＷブラウザとして機能させるためのプログラムを実行し、端末３が後述する処理を行うようにするため、端末３の無線通信装置を介してサーバ１にＵＲＬを無線送信し、サーバ１が無線送信したコンテンツを無線通信装置を介して受信して、端末３の出力部に表示させる。また、検出機４が通知する、非接触タグ５ａ〜５ｄの識別符号を取得する。
端末３の入力部は、端末３を携帯する入館者等の操作に従った情報を、端末３の制御部に供給する。その他、端末３は後述する動作を実行する。
【００３８】
端末３の記憶部は、端末３の制御部の作業領域として用いられ、また、タグ管理テーブル及びＵＲＬ対応テーブルを記憶する。
タグ管理テーブルは、端末３が検出機４から通知された識別符号のうち、最も新しい方から２個を格納するテーブルであり、最も新しい識別符号を格納する現在タグフィールドと、２番目に新しい識別符号を格納する直前タグフィールドとを含んでいる。
ＵＲＬ対応テーブルは、非接触タグ５ａ〜５ｄの各々について、当該非接触タグに割り当てられている識別符号と、当該非接触タグが取り付けられている所蔵品を解説するコンテンツが格納されている論理的位置を特定するＵＲＬとを、互いに対応付けて格納するテーブルである。
【００３９】
検出機４は、端末３に装着されており、端末３とともに、収蔵庫の入館者等により携帯されるためのものである。検出機４は、後述するように、非接触タグ５ａ〜５ｄを検出するための電波（以下、「検出波」と呼ぶ）を発射する。そして、非接触タグ５ａ〜５ｄが、検出波を受信したことを表す電波（以下、「返信波」と呼ぶ）を発射すると、返信波を受信し、その返信波を発射した非接触タグを特定し、特定された非接触タグを表す識別符号を端末３に通知する。
【００４０】
非接触タグ５ａ〜５ｄは、例えば互いに実質的に同一のものであり、各々、無線通信装置と、メモリとを備える。非接触タグ５ａ〜５ｄは、検出機４が無線送信した検出波を各自の無線通信装置によって受信すると、各自のメモリに予め格納されている、各自を識別する識別符号を読み出し、読み出した識別符号を表す返信波を、各自の無線通信装置より発射する。
【００４１】
非接触タグ５ａ〜５ｄの各々が発射する返信波は、具体的には、例えば、各自の識別符号を信号波として、各自に割り当てられた周波数の搬送波にスペクトラム拡散方式による変調を施し、その結果生成された変調波を含んでいる。
【００４２】
非接触タグ５ａ〜５ｄは、収蔵庫にある互いに別個の所蔵品に取り付けられている。このため、非接触タグ５ａ〜５ｄの各々を識別する識別符号は、非接触タグ５ａ〜５ｄの各々が取り付けられている所蔵品も識別する。
【００４３】
（第１の実施の形態の動作）
次に、この資料管理システムの動作を説明する。
（所蔵品の解説）
図２（ａ）は、所蔵品の解説のために検出機４が実行する処理を示すフローチャートである。図２（ｂ）は、所蔵品の解説のために端末３が実行する処理を示すフローチャートである。
なお、以下では、検出機４は、非接触タグ５ａ〜５ｄのうち、自己からの距離が実質的に一定値以下であるものが発射する返信波を受信するものとする。
【００４４】
展示等されている所蔵品の解説を受けようとする入館者は、検出機４が装着されている端末３を携帯し、解説を受けようとする対象の所蔵品に近づく。
検出機４は、非接触タグ５ａ〜５ｄを検出するための検出波を一定時間毎に発射し（図２（ａ）、ステップＳ１０１）、検出波を発射してから所定期間が経過するまでの間、非接触タグ５ａ〜５ｄから、検出波を受信したことを表す返信波が送信されるのを待機する。
【００４５】
非接触タグ５ａ〜５ｄのうち、検出波を受信したものは、各自を識別する識別符号をメモリから読み出し、読み出した識別符号を表す返信波を発射する。
そして、検出機４は、非接触タグ５ａ〜５ｄが発射した返信波を受信し、受信した返信波を復調することにより当該返信波が表す識別符号を取得して端末３に通知し（ステップＳ１０２）、処理をステップＳ１０１に戻す。
【００４６】
検出機４は、非接触タグ５ａ〜５ｄのうち、自己からの距離が実質的に一定値以下であるものが発射する返信波を受信する。従って、ステップＳ１０２で検出機４は、非接触タグ５ａ〜５ｄのうち、自己からの距離が実質的に一定値以下であるものの識別符号を端末３に通知する。
【００４７】
一方、端末３は、検出機４より識別符号を通知されるのを待機する（図２（ｂ）、ステップＳ１１０）。そして、識別符号を通知されると（ステップＳ１１１）、自己が記憶するタグ管理テーブルの現在タグフィールドに格納されている識別符号があれば、タグ管理テーブルの直前タグフィールドに転記し、ステップＳ１１１で通知された識別符号を現在タグフィールドに書き込む（ステップＳ１１２）。なお、ステップＳ１１２で、端末３は、既に直前タグフィールドに書き込まれていた識別符号を消去し、また現在タグフィールドから直前タグフィールドに転記された識別符号を、現在タグフィールドから消去する。
【００４８】
次に、端末３は、タグ管理テーブルの現在タグフィールドに格納されている識別符号と、直前タグフィールドに格納されている識別符号とが、同一の非接触タグを識別するものであるか否かを判別する（ステップＳ１１３）。
【００４９】
そして、同一のものであると判別すると、端末３は、現在タグフィールドに格納されている識別符号をキーとしてＵＲＬ対応テーブルを検索し、キーとした識別符号に対応付けられているＵＲＬを索出して、索出されたＵＲＬをサーバ１に無線送信する（ステップＳ１１４）。サーバ１は、無線送信されたＵＲＬを受信すると、そのＵＲＬが示すコンテンツを資料管理データベース２から読み出して、端末３に無線送信する。
【００５０】
サーバ１が端末３に無線送信する当該コンテンツは、端末３の現在タグフィールドに格納されている識別符号が示す非接触タグが取り付けられている所蔵品を解説する文章や図版を表すものである。現在タグフィールドに格納されている識別符号が示す非接触タグは、検出機４に最も近いものであるので、サーバ１は結局、端末３及び検出機４を携帯している入館者の最も近くに位置する所蔵品を解説するコンテンツを、端末３に無線送信する。
端末３は、サーバ１から無線送信されたコンテンツを受信すると、受信したコンテンツを表示し（ステップＳ１１５）、処理をステップＳ１１０に戻す。
【００５１】
一方、ステップＳ１１３で、現在タグフィールド及び直前タグフィールドに格納されている両識別符号が、互いに異なる非接触タグを識別するものである、と判別すると、端末３は、入館者が自己を操作して、例えば入館者が閲覧しようとするコンテンツを示すＵＲＬを自己に供給し、そのコンテンツの表示を指示したか否かを判別する（ステップＳ１１６）。
【００５２】
そして、指示していないと判別すると処理をステップＳ１１０に戻す。指示したと判別すると、入館者が供給したＵＲＬをサーバ１に無線送信し、サーバ１から、当該ＵＲＬが示すコンテンツを受信して、そのコンテンツを表示する処理を行い（ステップＳ１１７）、ステップＳ１１７の処理が終了すると、処理をステップＳ１１０に戻す。
【００５３】
以上説明した処理が行われる結果、端末３及び検出機４を携帯する入館者が、その入館者の最も近くに位置する所蔵品に取り付けられている非接触タグが発する返信波を検出機４が受信可能な位置に一定時間以上滞留すると、端末３が、その所蔵品を解説するコンテンツを表示する。
【００５４】
なお、第１の実施の形態の資料管理システムは、上述のものに限られない。
例えば、サーバ１、端末３、検出機４及び非接触タグ５ａ〜５ｄは、いずれも、いわゆる電波によるデータ交換を行うものである必要はなく、例えば、赤外線を用いてデータ交換を行うものであってもよい。
【００５５】
また、非接触タグの個数も、各々が互いに別個の所蔵品に取り付けられていて、且つ、各々に固有の識別符号を割り当てられているものである限り任意であり、また、端末３も、各々に別個の検出機４が装着されているものとする限り、複数個あってよい。
【００５６】
また、ステップＳ１１７で端末３が行う処理は、端末３を操作する者の操作に従って行われる任意の処理であってよい。従って、ステップＳ１１６では、端末３を操作する者が端末３に指示して実行させ得る任意の処理の指示の有無を判別してよい。この場合、端末３は、該当する処理の指示があったとステップＳ１１６で判別したとき、ステップＳ１１７に処理を移すようにしてよい。
【００５７】
また、検出機４は、必ずしも、非接触タグ５ａ〜５ｄのうち、自己からの距離が実質的に一定値以下であるものが発射する返信波のみを受信するものでなくてもよい。
例えば、非接触タグ５ａ〜５ｄが、各自から検出機４までの距離が実質的に一定値以下である場合に検出機４が発射する検出波を受信するようにしても、検出機４は、上述のステップＳ１０２で、非接触タグ５ａ〜５ｄのうち、自己からの距離が実質的に一定値以下であるものの識別符号を端末３に通知する。
【００５８】
また、この資料管理システムは、収蔵庫の入館者の現在位置を特定するようにしてもよい。
この場合、具体的には、例えば、サーバ１を、ＣＲＴ（Ｃａｔｈｏｄｅ  Ｒａｙ  Ｔｕｂｅ）等から構成され、画像を表示する表示デバイスを具えるものとする。そして、収蔵庫の管理者が、サーバ１を操作して、サーバ１に、端末の位置特定を指示すると、サーバ１が、上述のステップＳ１１４で端末が無線送信したＵＲＬが示すデータが、いずれの所蔵品を解説するものであるかを特定し、特定した所蔵品を表す文字やシンボル等を、表示デバイスに表示するようにする。
これにより、この資料管理システムは、収蔵庫の入館者が現に滞留している位置に最も近い所蔵品の位置を、入館者の現在位置として表示する。
【００５９】
（所蔵品の点検）
また、この資料管理システムは、棚卸し等のため、所蔵品の点検を行おうとする管理者等が、端末３を操作して、所蔵品の点検の実行を指示したとき、例えば、図３に示す所蔵品の点検の処理を実行してもよい。
【００６０】
ただし、この資料管理システムが図３に示す処理を行う場合、検出機４は、収蔵庫内にある非接触タグ５ａ〜５ｄのうちのいずれが発射する返信波も受信するものとし、非接触タグ５ａ〜５ｄは、いずれも、検出機４が発射する検出波を受信するものとする。
【００６１】
また、この資料管理システムが図３に示す処理を行う場合、資料管理データベース２は、非接触タグ５ａ〜５ｄを取り付けられた所蔵品の数と同数の在庫フラグを記憶するものとする。在庫フラグは、非接触タグ５ａ〜５ｄを取り付けられた所蔵品の各々に対応付けられたフラグであり、各自に対応付けられた所蔵品が収蔵庫内に在庫するか否かを表すものである。
【００６２】
具体的には、例えば、在庫フラグがセットされている（すなわち論理値が”１”である）場合、その在庫フラグに対応付けられている所蔵品が在庫することを表し、リセットされている（すなわち論理値が”０”である）場合、在庫しないことを表す。
【００６３】
この資料管理システムが図３に示す処理を行う場合、検出機４は、上述のステップＳ１０１及びＳ１０２の処理と実質的に同一の処理を行う。
ただし、検出機４は、非接触タグ５ａ〜５ｄがいずれも検出波を受信できるような強度の検出波を発射し、また、いずれの非接触タグが発射する返信波も受信するので、結局、検出機４は、収蔵庫内にあるすべての非接触タグの識別符号を端末３に通知する。
【００６４】
一方、端末３は、検出機４より識別符号を通知されるのを待機し（図３、ステップＳ２１０）。そして、識別符号を通知されると（ステップＳ２１１）、自己が記憶するタグ管理テーブルの現在タグフィールドに格納されていないものがあるか否かを判別する（ステップＳ２１２）。
【００６５】
そして、ないと判別すると、端末３は処理をステップＳ２１４に移す。一方、あると判別すると、現在タグフィールドに格納されていない識別符号をサーバ１に無線送信し（ステップＳ２１３）、処理をステップＳ２１４に移す。
【００６６】
サーバ１は、ステップＳ２１３で無線送信された識別符号を受信すると、資料管理データベース２にアクセスして、資料管理データベース２に記憶されている在庫フラグのうち、受信した識別符号に対応付けられているものをセットする。そして、サーバ１は、各々の識別符号に対応付けられている在庫フラグがセットされているかリセットされているかを示すステータスデータを、端末３に無線送信する。
【００６７】
一方、ステップＳ２１４で、端末３は、サーバ１が無線送信したステータスデータを受信し、受信したステータスデータに基づいて、各々の識別符号が示す非接触タグが取り付けられている所蔵品が在庫しているか否かを特定する。
具体的には、各々の識別符号について、当該識別符号に対応付けられている在庫フラグがセットされているならば、当該識別符号が示す非接触タグを取り付けられた所蔵品が在庫していると特定し、リセットされているならば在庫していないと特定する。
【００６８】
そして、端末３は、特定した結果を示す画像（すなわち、各々の識別符号が示す非接触タグを取り付けられた所蔵品が在庫しているか否かを表す画像）を表示し（ステップＳ２１５）、処理を終了する。
【００６９】
以上説明した処理が行われる結果、非接触タグを取り付けられた所蔵品が収蔵庫に現に在庫するか否かを表すデータが資料管理データベース２に記録され、また、端末３に表示される。
【００７０】
（所蔵品の情報の履歴管理）
また、この資料管理システムは、例えば、所蔵品の補修を行って補修の結果を資料管理データベース２に書き込もうとする管理者等が、端末３を操作して、所蔵品の情報の履歴管理の実行を指示したとき、例えば、図４（ａ）及び（ｂ）に示す所蔵品の履歴管理の処理を実行してもよい。
【００７１】
なお、この資料管理システムが図４（ａ）及び（ｂ）に示す処理を行う場合も、検出機４は、収蔵庫内にある非接触タグ５ａ〜５ｄのうちのいずれかが発射する返信波も受信するものとし、非接触タグ５ａ〜５ｄは、いずれも、検出機４が発射する検出波を受信するものとする。
【００７２】
ただし、この資料管理システムが図４（ａ）及び（ｂ）に示す処理を行う場合、非接触タグ５ａ〜５ｄのメモリ及び資料管理データベース２は、後述する処理により格納される履歴データを記憶するものとする。
そして、非接触タグ５ａ〜５ｄは、無線送信された所定のコマンドを受信すると、そのコマンドに応答して、各自のメモリに格納されている履歴データを検出機４に無線送信するものとする。
【００７３】
非接触タグ５ａ〜５ｄのメモリに格納される履歴データの内容は任意のものであってよく、例えば、当該メモリを含む非接触タグが取り付けられている所蔵品の補修の履歴を表すデータであってよい。
【００７４】
資料管理データベース２に記憶されている履歴データは、例えば、各非接触タグ５ａ〜５ｄのメモリに格納される履歴データをすべて含むものである。資料管理データベース２に記憶されている履歴データは、論理的には、資料管理データベース２が有する記憶領域中、同一の所蔵品の補修等の履歴を表すもの毎に、単一のＵＲＬにより特定される論理的位置に格納されるものとする。
【００７５】
そして、端末３の記憶部は、履歴用ＵＲＬ対応テーブルを記憶するものとする。履歴用ＵＲＬ対応テーブルは、非接触タグ５ａ〜５ｄの各々について、当該非接触タグに割り当てられている識別符号と、当該非接触タグが記憶するものと実質的に同一の履歴データが格納されている論理的位置を特定するＵＲＬとを、互いに対応付けて格納するテーブルである。
【００７６】
この資料管理システムが図４（ａ）及び（ｂ）に示す処理を行う場合、検出機４は、非接触タグ５ａ〜５ｄに、各自が記憶している履歴データを無線送信することを要求するコマンドを非接触タグ５ａ〜５ｄに無線送信し（図４（ａ）、ステップＳ３０１）、非接触タグ５ａ〜５ｄから、履歴データが無線送信されるのを待機する。
【００７７】
非接触タグ５ａ〜５ｄのうち、ステップＳ３０１で検出機４が無線送信したコマンドを受信したものは、受信したコマンドに応答して自己が記憶する履歴データをメモリから読み出し、読み出した履歴データを無線送信する。
そして、検出機４は、非接触タグ５ａ〜５ｄが無線送信した履歴データを受信すると、受信した履歴データを端末３に供給し（ステップＳ３０２）、処理をステップＳ３０１に戻す。
【００７８】
端末３は、検出機４より履歴データを供給されるのを待機し（ステップＳ３１０）、履歴データが供給されると、供給された履歴データを表す画像、及び、管理者等に履歴データの更新を促す画像を表示する（ステップＳ３１１）。
【００７９】
そして、端末３は管理者等が自己を操作し、更新する対象の履歴データを記憶する非接触タグを指定し、その非接触タグに記憶させるべき新たな履歴データを端末３に供給すると、端末３は、ステップＳ３１１で表示した画像を、自己に供給された新たな履歴データを表すものに変更する。また、管理者等が、更新する対象の履歴データの入力完了を端末３に通知すると、端末３は処理をステップＳ３１２に移す。
【００８０】
そして、ステップＳ３１２で、端末３は、管理者等が自己に供給した新たな履歴データが存在するか否かを判別し、ないと判別すると、処理を終了する。一方、あると判別すると、端末３は、該当する新たな履歴データを、その履歴データを記憶すべき非接触タグとして管理者等が指定した非接触タグに無線送信する（ステップＳ３１３）。
【００８１】
次に、端末３は、ステップＳ３１３で履歴データを無線送信した相手方の非接触タグの識別符号をキーとして履歴用ＵＲＬ対応テーブルを検索し、キーとした識別符号が示す非接触タグの履歴データが格納されている論理的位置のＵＲＬを索出する（ステップＳ３１４）。索出されたＵＲＬは、ステップＳ３１３で非接触タグ５ａ〜５ｄに無線送信された履歴データを格納すべき論理的位置を表す。
【００８２】
そして、端末３は、ステップＳ３１３で非接触タグ５ａ〜５ｄに無線送信した履歴データと、その履歴データを格納すべき論理的位置のＵＲＬ（すなわち、無線送信した相手方の非接触タグの履歴データを格納すべき論理的位置のＵＲＬ）とを、互いに対応付けてサーバ１に無線送信し（ステップＳ３１５）、処理を終了する。
【００８３】
サーバ１は、ステップＳ３１４で無線送信された履歴データ及びＵＲＬを受信すると、資料管理データベース２の記憶領域のうち、受信したＵＲＬが示している論理的位置にある記憶領域にアクセスして、受信した履歴データを上書きする。
【００８４】
以上説明した処理が行われる結果、各々の非接触タグが記憶する履歴データが管理者等の操作に従って更新され、また、更新後の履歴データは資料管理データベース２にも記録される。
【００８５】
（所蔵品の検索）
また、この資料管理システムは、例えば、所蔵品の検索を行おうとする管理者等が、端末３を操作して、検索する対象の所蔵品を指定するデータを端末３に供給し、所蔵品の情報の履歴管理の実行を指示したとき、例えば、図５に示す所蔵品の検索の処理を実行してもよい。
なお、この資料管理システムが図５に示す処理を行う場合も、検出機４は、収蔵庫内にある非接触タグ５ａ〜５ｄのうちのいずれが発射する返信波も受信するものとし、非接触タグ５ａ〜５ｄは、いずれも、検出機４が発射する検出波を受信するものとする。
【００８６】
この資料管理システムが図５に示す処理を行う場合、所蔵品の検索を行おうとする管理者等が端末３を操作して、検索する対象の所蔵品を指定するデータを端末３に供給し、そのデータが示す所蔵品の検索の実行を指示すると（ステップＳ４１０）、端末３は、検出機４より識別符号を通知されるのを待機する（ステップＳ４１１）。
【００８７】
一方、検出機４は、上述のステップＳ１０１及びＳ１０２の処理と実質的に同一の処理を行って、収蔵庫内にあるすべての非接触タグの識別符号を非接触タグ５ａ〜５ｄから受信し、受信した識別符号を端末３に通知する。
端末３は、検出機４から識別符号を通知されると（ステップＳ４１２）、検出機４から通知された識別符号のうちに、ステップＳ４１０で管理者等が供給したデータが示す所蔵品に取り付けられている非接触タグを示すものがあるか否かを判別する（ステップＳ４１３）。
そして、ないと判別すると、端末３は、検索の対象である所蔵品が在庫していないことを示す画像を表示して（ステップＳ４１４）、処理を終了する。あると判別すると、該当する識別符号を示す画像を表示し（ステップＳ４１５）、処理を終了する。
【００８８】
以上説明した処理が行われる結果、非接触タグを取り付けられた所蔵品が収蔵庫に現に在庫するか否かを表すデータが資料管理データベース２に記録され、また、端末３に表示される。
なお、端末３は、ステップＳ４１３での判別結果を表す情報をサーバ１に無線送信してもよいし、サーバ１は、当該判別結果を表す情報を資料管理データベース２に記録してもよいし、資料管理データベース２に格納されている任意のデータを、当該判別結果を反映するように更新してもよい。
【００８９】
また、図３に示す所蔵品の点検の処理や、図４に示す所蔵品の履歴管理の処理や、図５に示す所蔵品の検索の処理を行う場合、検出機４は、非接触タグ５ａ〜５ｄのうち、自己からの距離が実質的に一定値以下であるものが発射する返信波を受信するものでもよい。この場合は、入館者等が端末３及び検出機４を携帯して収蔵庫内を移動しつつ、図３〜図５の処理のうちいずれかの処理を繰り返し実行して、すべての非接触タグ５ａ〜５ｄが発射する返信波が、繰り返し実行したいずれかの処理で受信されるようにすればよい。
【００９０】
あるいは、図３〜図５の処理を行う場合、非接触タグ５ａ〜５ｄは、各自から検出機４までの距離が実質的に一定値以下である場合に検出機４が発射する検出波を受信するものであってもよい。この場合は、入館者等が端末３及び検出機４を携帯して収蔵庫内を移動しつつ、図３〜図５の処理のうちいずれかの処理を繰り返し実行して、すべての非接触タグ５ａ〜５ｄが、繰り返し実行したいずれかの処理において検出機４が発射する検出波を受信するようにすればよい。
【００９１】
（所蔵品の出庫管理）
また、この資料管理システムは、例えば、図６に示す出庫管理の処理を実行してもよい。
ただし、この資料管理システムが図６の処理を実行する場合、この資料管理システムは、以下（１）及び（２）として示す構成の少なくとも一方を有し、且つ、以下（３）及び（４）として示す構成の少なくとも一方を有するものとする。
【００９２】
すなわち、この資料管理システムは、
（１）検出機４が、収蔵庫の出口周辺の所定の区域（出口区域）に入った非接触タグ以外の非接触タグが発射する返送波を受信するようにし、且つ／又は、
（２）非接触タグ５ａ〜５ｄを、各自が出口区域に入ったとき検出機４が発射する検出波を受信するようにする、
ものとし、且つ、
（３）検出機４が、収蔵庫の入口周辺の所定の区域（入口区域）に入った非接触タグ以外の非接触タグが発射する返送波を受信するようにし、且つ／又は、
（４）非接触タグ５ａ〜５ｄを、各自が入口区域に入ったとき検出機４が発射する検出波を受信するようにする、
ものとする。
【００９３】
更に、検出機４は、自己が受信した返送波を発射した非接触タグが出口区域及び入口区域のいずれからその返送波を発射したかを特定し、特定した発射の場所を表す情報（入出庫識別データ）を、その返送波を復調して得られる識別符号と対応付けて端末３に通知する機能を有するものとする。
【００９４】
また、この資料管理システムが図６の処理を実行する場合、資料管理データベース２は、出庫フラグ、出庫承認フラグ及び入庫承認フラグを記憶するものとする。
出庫フラグは、上述した通り、自己に対応付けられている所蔵品が出庫されているか否かを示すフラグである。
出庫承認フラグは、自己に対応付けられている所蔵品につき、収蔵庫の管理者等による出庫の承認が与えられているか否かを示すフラグであり、入庫承認フラグは、自己に対応付けられている所蔵品につき、収蔵庫の管理者等による入庫の承認が与えられているか否かを示すフラグである。
【００９５】
出庫承認フラグ及び入庫承認フラグは後述する処理によりセットされ、あるいは収蔵庫の管理者等により予めセット又はリセットされる。
出庫承認フラグは、例えば、自己がセット（又はリセット）されている場合、自己に対応付けられている所蔵品の出庫が承認されている（又は承認されていない）ことを表す。同様に、入庫承認フラグは、例えば、自己がセット（又はリセット）されている場合、自己に対応付けられている所蔵品の入庫が承認されている（又は承認されていない）ことを表す。
【００９６】
この資料管理システムが図６の処理を実行する場合、検出機４は、上述のステップＳ１０１及びＳ１０２の処理と実質的に同一の処理を行う。
ただし、検出機４は、収蔵庫の出口区域に入った非接触タグが発射する返送波を受信し、且つ／又は、非接触タグ５ａ〜５ｄは、出口区域に入ったとき検出機４が発射する検出波を受信する。また、検出機４は、収蔵庫の入口区域に入った非接触タグが発射する返送波を受信し、且つ／又は、非接触タグ５ａ〜５ｄは、入口区域に入ったとき検出機４が発射する検出波を受信する。
【００９７】
このため結局、検出機４は、収蔵庫の出口区域及び入口区域のいずれかに入った所蔵品に取り付けられている非接触タグの識別符号を端末３に通知する。
また、検出機４は、取得した識別符号が示す非接触タグが、出口区域及び入口区域のいずれに入ったものであるかを示す入出庫識別データを、その識別符号に対応付けて端末３に通知する。
【００９８】
一方、端末３は、検出機４より識別符号及び入出庫識別データを通知されるのを待機し（ステップＳ５１０）。そして、識別符号及び入出庫識別データを通知されると、通知された識別符号をサーバ１に無線送信する（ステップＳ５１１）。
【００９９】
サーバ１は、識別符号を受信すると、資料管理データベース２にアクセスして、資料管理データベース２に記憶されている出庫承認フラグ及び入庫承認フラグのうち、受信した識別符号に対応付けられているものが、セットされているかリセットされているか、を示すステータスデータを、端末３に無線送信する。
【０１００】
端末３は、サーバ１が無線送信した、出庫承認フラグ及び入庫承認フラグの状態を示すステータスデータを受信し、受信したステータスデータに基づいて、検出機４が自己に通知した識別符号が示す非接触タグを取り付けられている所蔵品が、出庫承認又は入庫承認を得ているか否かを判別する（ステップＳ５１２）。
【０１０１】
そして、端末３は、出庫承認又は入庫承認を得ていると判別すると、処理をステップＳ５１４に移す。
一方、出庫承認及び入庫承認のいずれも得ていないと判別すると、ステップＳ５１１で検出機４から通知された入出庫識別データが、出口区域及び入口区域のいずれを示すかに従い、
（ａ１）出口区域を示す場合は、出庫承認が得られていない所蔵品が出庫されようとしていることを警告する画像を表示し、また、
（ｂ１）入口区域を示す場合は、入庫承認が得られていない所蔵品が入庫されようとしていることを警告する画像を表示する（ステップＳ５１３）。
【０１０２】
そして、端末３は、例えば、管理者等が端末３を操作して、警告の対象となった所蔵品の出庫又は入庫を承認する旨の指示を端末３に供給すると、処理をステップＳ５１４に移す。
【０１０３】
ステップＳ５１４で、端末３は、検出機４が自己に通知した識別符号が示す非接触タグを取り付けられた所蔵品の出庫又は入庫が終わった旨の通知と、ステップＳ５１１で通知された入出庫識別データとをサーバ１に無線送信し、入出庫管理の処理を終了する。
【０１０４】
サーバ１は、ステップＳ５１４で端末３から無線送信された通知及び入出庫識別データを受信すると、資料管理データベース２にアクセスする。
そして、
（ａ２）自己が受信した入出庫識別データが出口区域を表すものである場合、資料管理データベース２が記憶する出庫承認フラグのうち、自己が受信した通知が示す所蔵品に対応付けられているものをセットし、資料管理データベース２が記憶する在庫フラグのうち、自己が受信した通知が示す所蔵品に対応付けられているものをリセットする。また、
（ｂ２）自己が受信した入出庫識別データが入口区域を表すものである場合、資料管理データベース２が記憶する入庫承認フラグ及び在庫フラグのうち、自己が受信した通知が示す所蔵品に対応付けられているものをセットする。
【０１０５】
以上説明した処理が行われる結果、非接触タグを取り付けられた所蔵品が出口及び入口を通過する度に、その所蔵品が出庫又は入庫の承認を受けているかが確認された上、出庫や入庫が行われたことを表すデータが資料管理データベース２に記録される。
【０１０６】
（第２の実施の形態）
以上説明した第１の実施の形態では、非接触タグ５ａ〜５ｄは収蔵庫の所蔵品に取り付けられ、検出機４が端末３に装着されていたが、非接触タグを端末に取り付け、検出機を所蔵品に取り付けてもよい。以下では、非接触タグが端末に取り付けられ、検出機が所蔵品に取り付けられる、この発明の第２の実施の形態を説明する。
【０１０７】
図７は、この発明の第２の実施の形態にかかる資料管理システムの物理的構成を示す。図示するように、この資料管理システムは、サーバ１と、資料管理データベース２と、端末３ａ〜３ｄと、検出機４ａ〜４ｄと、非接触タグ５ａ〜５ｄとからなる。
【０１０８】
サーバ１は、第１の実施の形態におけるものと実質的に同一の構成を有するものであり、端末３ａ〜３ｄから無線送信される指示に従った後述の動作を行う。ただし、サーバ１は、ＩＤ管理テーブルを記憶する。ＩＤ管理テーブルは、サーバ１が後述する処理で検出機４ａ〜４ｄから通知された、非接触タグ５ａ〜５ｄの識別符号を格納するテーブルであり、検出機４ａ〜４ｄに１対１に対応付けられた複数のレコードから構成されている。ＩＤ管理テーブルに格納されるデータは、後述する処理に従って周期的に更新される。
【０１０９】
ＩＤ管理テーブルの各々のレコードには、そのレコードに対応付けられている検出機の名称を格納する検出機名称フィールドと、当該検出機が最も新しく発射した検出波に応答して返信波を発射した非接触タグの識別符号を格納する現在ＩＤフィールドと、当該検出機が２番目に新しく発射した検出波に応答して返信波を発射した非接触タグの識別符号を格納する直前ＩＤフィールドと、が含まれている。
【０１１０】
また、第２の実施の形態において、サーバ１は、ＵＲＬ対応テーブルを記憶している。サーバ１が記憶するＵＲＬ対応テーブルは、検出機４ａ〜４ｄの各々について、当該検出機の名称と、当該検出機が取り付けられている所蔵品を解説するコンテンツが格納されている論理的位置を特定するＵＲＬとを、互いに対応付けて格納するテーブルである。
【０１１１】
資料管理データベース２は、第１の実施の形態におけるものと実質的に同一のものであり、サーバ１に接続されている。
端末３ａ〜３ｄは、いずれも、例えば、第１の実施の形態における端末３と実質的に同一の構成を有しており、各々後述する動作を実行する。
【０１１２】
検出機４ａ〜４ｄは、第１の実施の形態における検出機４と実質的に同一の構成を有するものである。
ただし、検出機４ａ〜４ｄは、各々、収蔵庫内の互いに別個の所蔵品に取り付けられており、サーバ１に接続されている。そして、自己が受信した返信波に基づいて特定した非接触タグを表す識別符号を、サーバ１に通知する。
【０１１３】
非接触タグ５ａ〜５ｄは、いずれも第１の実施の形態におけるものと実質的に同一のものである。
ただし、非接触タグ５ａ、５ｂ、５ｃ及び５ｄは、端末３ａ、３ｂ、３ｃ及び３ｄに取り付けられている。従って、非接触タグ５ａ〜５ｄの各々を識別する識別符号は、非接触タグ５ａ〜５ｄの各々が取り付けられている端末３ａ〜３ｄも識別する。
【０１１４】
（第２の実施の形態の動作）
次に、この資料管理システムの動作を説明する。
（ＩＤ管理テーブルの更新）
この資料管理システムは、起動中、図８（ａ）及び（ｂ）に示す、ＩＤ管理テーブル更新の処理を繰り返し実行することにより、ＩＤ管理テーブルの内容を更新する。
なお、図８（ａ）は、ＩＤ管理テーブル更新のために検出機４ａ〜４ｄの各々が実行する処理を示すフローチャートである。図８（ｂ）は、ＩＤ管理テーブル更新のためにサーバ１が実行する処理を示すフローチャートである。
【０１１５】
具体的に述べると、各検出機４ａ〜４ｄは、第１の実施の形態におけるものと実質的に同一の検出波を一定時間毎に発射し（図８（ａ）、ステップＳ６０１）、検出波を発射してから所定期間が経過するまでの間、非接触タグ５ａ〜５ｄから識別符号が無線送信されるのを待機する。そして、各検出機４ａ〜４ｄは、非接触タグ５ａ〜５ｄが無線送信した識別信号を受信して、受信した識別符号をサーバ１に通知し（ステップＳ６０２）、処理をステップＳ６０１に戻す。
【０１１６】
一方、サーバ１は、各検出機４ａ〜４ｄより識別符号を通知されるのを待機する（図８（ｂ）、ステップＳ６１０）。そして、すべての検出機４ａ〜４ｄから識別符号を通知されると（ステップＳ６１１）、通知された識別符号に基づいて、自己が記憶するＩＤ管理テーブルを更新して（ステップＳ６１２）、処理をステップＳ６１０に戻す。
【０１１７】
具体的には、ステップＳ６１２でサーバ１は、ＩＤ管理テーブルの各々のレコードについて、その現在ＩＤフィールドに格納されている識別符号があれば、タグ管理テーブルの直前ＩＤフィールドに転記する。そして、ステップＳ６１１で各検出機４ａ〜４ｄから通知された各々の識別符号を、当該識別符号を通知した検出機の名称が検出機名称フィールドに格納されているレコードの現在ＩＤフィールドに書き込む。
なお、ステップＳ６１２で、サーバ１は、既に直前ＩＤフィールドに書き込まれていた識別符号を消去し、また現在ＩＤフィールドから直前ＩＤフィールドに転記された識別符号を、現在ＩＤフィールドから消去する。
【０１１８】
以上説明した処理により、ＩＤ管理テーブルは更新される。
そして、例えば、検出機４ａ〜４ｄはいずれも、非接触タグ５ａ〜５ｄのうち、自己の周辺にある（すなわち、自己からの距離が実質的に一定値以下である）ものが発射する返信波を受信するものであり、且つ／又は、非接触タグ５ａ〜５ｄはいずれも、検出機４ａ〜４ｄのうち自己の周辺にあるものが発射する検出波を受信するものであるとする。この場合、入館者が端末３ａ〜３ｄのいずれかを携帯し、解説を受ける対象の所蔵品に近づくと、その入館者が携帯する端末に取り付けられている非接触タグが、解説の対象であるその所蔵品に取り付けられた検出機の周辺に入る。この結果、当該検出機が、入館者が携帯する端末に取り付けられている非接触タグが発する返信波を受信する。
【０１１９】
（所蔵品の解説）
一方、この資料管理システムは、図８（ａ）及び（ｂ）の処理と並行して、図９（ａ）及び（ｂ）に示す、所蔵品の解説の処理を実行する。
図９（ａ）は、所蔵品の解説のためにサーバ１が実行する処理を示すフローチャートである。図９（ｂ）は、所蔵品の解説のために端末３ａ〜３ｄの各々が実行する処理を示すフローチャートである。
なお、以下では、検出機４ａ〜４ｄが、いずれも、非接触タグ５ａ〜５ｄのうち自己の周辺にあるものが発射する返信波を受信するものであり、且つ／又は、非接触タグ５ａ〜５ｄが、いずれも、検出機４ａ〜４ｄのうち自己の周辺にあるものが発射する検出波を受信するものとする。
【０１２０】
まず、サーバ１は、ＩＤ管理テーブルの各々のレコードについて、そのレコードの現在ＩＤフィールドに、そのレコードの直前ＩＤフィールドに格納されているものと実質的に異なる識別符号が格納されていれば、そのような識別符号を特定する（ステップＳ７１１）。
【０１２１】
そして、サーバ１は、端末３ａ〜３ｄのうち、特定した識別符号が示す非接触タグを取り付けられているものに、データ交換の開始を促すためのトリガ信号を無線送信する（ステップＳ７１２）。特定した識別符号が示す非接触タグを取り付けられている端末の特定は、例えば、非接触タグ５ａ〜５ｄの識別符号と、端末の名称などとを対応付けて格納するテーブルを参照することにより行えばよい。
【０１２２】
一方、端末３ａ〜３ｄは、起動すると（ステップＳ７２１）、サーバ１が無線送信したトリガ信号を受信したか否かを判別し（ステップＳ７２２）、受信したと判別すると処理をステップＳ７２３へ移し、受信していないと判別すると、処理をステップＳ７２４へ移す。
【０１２３】
ステップＳ７２３で、端末３ａ〜３ｄは、所蔵品の説明内容を更新するために読み出す所定のＵＲＬ（以下、自動更新用ＵＲＬと呼ぶ）をサーバ１に送信し、処理をステップＳ７２６に移す。
【０１２４】
一方、ステップＳ７２４で、端末３ａ〜３ｄは、入館者が自己を操作して、資料管理テーブル２が記憶するデータのＵＲＬを指定したか否かを判別する。そして、指定していないと判別すると処理をステップＳ７２２に戻し、指定したと判別すると、指定されたＵＲＬをサーバ１に送信して（ステップＳ７２５）、処理をステップＳ７２６に移す。
【０１２５】
ステップＳ７１２でトリガ信号を無線送信したサーバ１は、次に端末３ａ〜３ｄからＵＲＬが無線送信されたか否かを判別し（ステップＳ７１３）、無線送信されていないと判別すると、ステップＳ７１１に処理を戻す。一方、無線送信されたと判別すると、無線送信された当該ＵＲＬが自動更新用ＵＲＬであるか否かを判別する（ステップＳ７１４）。
【０１２６】
そして、自動更新用ＵＲＬでないと判別すると、無線送信されたＵＲＬが示す論理的位置に格納されているコンテンツを資料管理データベース２から読み出して、当該ＵＲＬを無線送信した端末に無線送信し（ステップＳ７１７）、処理をステップＳ７１１に戻す。
【０１２７】
一方、自動更新用ＵＲＬであると判別すると、サーバ１は、当該自動更新用ＵＲＬを無線送信した端末に取り付けられた非接触タグの識別符号が、ＩＤ管理テーブルのどのレコードの現在ＩＤフィールドに格納されているかを特定し、特定されたレコードの検出機名称フィールドに格納されている、検出機の名称を読み出す（ステップＳ７１５）。
【０１２８】
そして、読み出した名称をキーとしてＵＲＬ対応テーブルを検索し、キーとした名称に対応付けられているＵＲＬを索出して、索出されたＵＲＬが示すコンテンツを資料管理データベース２から読み出し、自動更新用ＵＲＬを送信した端末に無線送信して（ステップＳ７１６）、処理をステップＳ７１１に戻す。
【０１２９】
ステップＳ７１６でサーバ１が無線送信するコンテンツは、ステップＳ７１５で名称を読み出された検出機が取り付けられている所蔵品を解説する文章や図版を表すものである。当該検出機は、実質的に、自動更新用ＵＲＬを送信した端末に最も近いものである。従ってサーバ１は結局、その端末を携帯している入館者の最も近くに位置する所蔵品を解説するコンテンツを、その端末に無線送信する。
【０１３０】
一方、ステップＳ７１６又はＳ７１７でサーバ１が無線送信したコンテンツを受信した端末は、受信したコンテンツを表示し（ステップＳ７２６）、処理をステップＳ７２２に戻す。
なお、サーバ１は、複数の端末からＵＲＬを無線送信された場合、無線送信された各々のＵＲＬを受信し、受信した各々のＵＲＬ毎に、互いに並行してＳ７１４以降の処理を行う。
【０１３１】
以上説明した処理が行われる結果、端末３ａ〜３ｄのいずれかを携帯する入館者が所蔵品の近くに一定時間滞留し、その入館者が携帯する端末に取り付けられた非接触タグが、当該所蔵品に取り付けられている検出機が発する検出波を受信すると、その入館者が携帯する端末は、その所蔵品を解説するコンテンツを表示する。
【０１３２】
（入館者位置検索）
収蔵庫の管理者は、特定の入館者の現在位置を知るため、サーバ１を操作して、検索する対象の入館者が携帯している端末を示す情報をサーバ１に供給し、図１０に示す、入館者位置検索の処理の実行を指示する。
ただし、この資料管理システムが図１０の処理を行う場合、サーバ１は、ＣＲＴ（Ｃａｔｈｏｄｅ  Ｒａｙ  Ｔｕｂｅ）等から構成され、画像を表示する表示デバイスを具えるものとする。
【０１３３】
入館者位置検索の処理を開始すると、サーバ１は、ステップＳ６０１及びＳ６０２の処理を実行している各検出機４ａ〜４ｄから識別符号を通知されるのを待機する（ステップＳ８１０）。
そして、すべての検出機４ａ〜４ｄから識別符号を通知されると（ステップＳ８１１）、通知された識別符号のうちに、管理者が指定した、検索対象の入館者が携帯している端末に取り付けられている非接触タグを示すものが存在するか否かを判別する（ステップＳ８１２）。
【０１３４】
そして、存在しないと判別すると、サーバ１は、検索の対象である入館者の位置を特定できなかった旨のメッセージを表示して（ステップＳ８１３）、入館者位置検索の処理を終了する。
一方、存在すると判別すると、サーバ１は、検索対象の入館者が携帯している端末に取り付けられている非接触タグの識別符号が、検出機４ａ〜４ｄのうちいずれから通知されたものであるかを特定し、特定された検出機を示すメッセージを表示して（ステップＳ８１４）、処理を終了する。
【０１３５】
以上説明した処理が行われる結果、管理者が検索の対象として指定した入館者が、端末３ａ〜３ｄのいずれかを携帯していずれかの所蔵品に十分近づけば、その入館者が近づいた所蔵品が特定される。
【０１３６】
（混雑状況把握）
収蔵庫の管理者は、収蔵庫内にある各々の所蔵品の周辺にいる入館者の数を知るため、サーバ１を操作して、図１１に示す、混雑状況把握の処理の実行を指示する。
【０１３７】
混雑状況把握の処理を開始すると、サーバ１は、ステップＳ６０１及びＳ６０２の処理を実行している各検出機４ａ〜４ｄから識別符号を通知されるのを待機する（ステップＳ９１０）。そして、すべての検出機４ａ〜４ｄから識別符号を通知されると（ステップＳ９１１）、各々の検出機４ａ〜４ｄから通知された識別符号の数を計数し、計数の結果を一覧表示して（ステップＳ９１２）、処理を終了する。
【０１３８】
ステップＳ９１２で表示される、各々の検出機４ａ〜４ｄから通知された識別符号の数は、当該検出機が取り付けられている所蔵品の周辺に滞留している入館者の数を表す。
従って、以上説明した処理が行われる結果、収蔵庫内の各所蔵品の周辺の混雑の程度を把握するための情報が提供される。
【０１３９】
（ナビゲーション）
また、この資料管理システムは、図１２に示すナビゲーションの処理を行ってもよい。
この資料管理システムが図１２の処理を行う場合、サーバ１は、ＩＤ履歴テーブルを記憶する。ＩＤ履歴テーブルは、非接触タグ５ａ〜５ｄに１対１に対応付けられた複数のレコードから構成されている。
【０１４０】
ＩＤ履歴テーブルの各々のレコードには、そのレコードに対応付けられている非接触タグの識別符号を格納するＩＤフィールドと、ＩＤフィールドに続く検出機フィールドとが含まれる。検出機フィールドには、その検出機フィールドがあるレコードに対応付けられている非接触タグが発する返信波を受信した検出機の名称が１個格納される。同一レコードに複数の検出機フィールドが含まれる場合、これらの検出機フィールドは、各自に格納されている名称が、当該レコードに対応付けられた非接触タグの返信波を新しく受信した順に並んでいる。
【０１４１】
この資料管理システムが図１２の処理を行うものである場合、サーバ１は、上述のステップＳ７１１の処理と実質的に同一の処理を行った上、ＩＤ管理テーブルの少なくともいずれかのレコードにおいて、そのレコードの現在ＩＤフィールドに、そのレコードの直前ＩＤフィールドに格納されているものと実質的に異なる識別符号（以下、新たな識別符号と呼ぶ）が格納されているか否かを判別する（ステップＳ１０１１）。
【０１４２】
そして、格納されていないと判別すると、サーバ１は処理をステップＳ１０１４に進める。格納されていると判別すると、格納されていると判別された新たな識別符号を特定し、これら新たな識別符号の各々について、その新たな識別符号が格納されているレコードの検出機名称フィールドに格納されている、検出機の名称を特定する（ステップＳ１０１２）。
【０１４３】
次に、サーバ１は、特定された検出機の名称に基づいて、自己が記憶するＩＤ履歴テーブルを更新し（ステップＳ１０１３）、処理をステップＳ１０１４に進める。
具体的には、ステップＳ１０１３でサーバ１は、ＩＤ履歴テーブルの各々のレコードのうち、ステップＳ１０１２で特定された新たな識別符号がそのＩＤフィールドに格納されているレコードがあれば、そのレコードのＩＤフィールドと、当該ＩＤフィールドの次に位置する検出機フィールドとの間に、ステップＳ１０１２で特定された検出機の名称を格納した検出機フィールドを挿入する。
【０１４４】
そして、ステップＳ１０１４で、サーバ１は、端末３ａ〜３ｄが無線送信した、ナビゲーション実行を指示するデータを、自己が受信したか否かを判別する。
【０１４５】
一方、端末３ａ〜３ｄのいずれかを携帯する入館者は、例えば、自己がまだ閲覧していない所蔵品や、自己がまだ閲覧していない所蔵品の周辺に移動する道順などを知りたい場合、自己が携帯する端末を操作することにより、その端末に、ナビゲーション実行を指示するデータを無線送信させる。
【０１４６】
ナビゲーション実行を指示するデータは、具体的には、例えば、入館者が、自己の携帯する端末に、後述するステップＳ１０１５以降の処理を制御するＣＧＩ（Ｃｏｍｍｏｎ  Ｇａｔｅ  Ｉｎｔｅｒｆａｃｅ）が格納されている論理的位置を表すＵＲＬであればよい。当該ＣＧＩは、例えば、資料管理データベース２に格納されていればよい。
【０１４７】
ステップＳ１０１４で、ナビゲーション実行を指示するデータを受信していないと判別すると、処理をステップＳ１０１１に戻す。受信していると判別すると、サーバ１は、そのデータを無線送信した端末に取り付けられている非接触タグの識別符号をキーとしてＩＤ履歴テーブルを検索し、キーとした識別符号を含んだレコードを索出する（ステップＳ１０１５）。
【０１４８】
そして、サーバ１は、収蔵庫内にある検出機のうち、その名称がステップＳ１０１５で索出したレコードに格納されていないものを特定する（ステップＳ１０１６）。そして、ナビゲーション実行を指示するデータを無線送信した端末に、ステップＳ１０１６で特定された検出機が取り付けられている所蔵品を表す情報を無線送信して（ステップＳ１０１７）、処理をステップＳ１０１１に戻す。
【０１４９】
ナビゲーションの処理の実行を指示した端末は、サーバ１がステップＳ１０１７で無線送信した情報を受信すると、その情報が表す所蔵品の名称や、その所蔵品の位置を表す画像を表示する。
【０１５０】
ステップＳ１０１６で特定された検出機は、ナビゲーション実行を指示するデータを無線送信した端末に取り付けられている非接触タグが発する返信波を未だ受信していない検出機である。換言すれば、ステップＳ１０１６で特定された検出機は、ナビゲーションの処理の実行を指示した端末を携帯する入館者が未だその周辺に滞留したことがないような所蔵品に取り付けられている検出機を表す。
【０１５１】
従って、以上説明した処理が行われる結果、ナビゲーションの処理の実行を指示した端末には、その端末を携帯する入館者が未だ閲覧していない所蔵品を示す情報が提供される。
【０１５２】
なお、サーバ１は、ステップＳ１０１７で、ナビゲーション実行を指示するデータを無線送信した端末に、自己がステップＳ１０１５で索出した、ＩＤ履歴テーブルのレコードの内容を無線送信するようにしてもよい。
そして、そのレコードの内容を受信した端末は、受信したレコードの各検出機フィールドの内容を、それらの検出機フィールドがそのレコード内で整列している順に一覧表示してもよい。
これにより、その端末を携帯する入館者が近づいた検出機（及びその検出機を取り付けられた所蔵品）と、近づいた順序とを表す情報が入館者に提供される。
【０１５３】
なお、第２の実施の形態の資料管理システムも、上述のものに限られない。
例えば、検出機４ａ〜４ｄとサーバ１との間のデータ交換は無線通信により行われてもよい。
また、検出機の個数も、各々が互いに別個の所蔵品に取り付けられていて、且つ、各々に固有の識別符号を割り当てられているものである限り任意であり、また、端末の個数も、各々に別個の非接触タグが取り付けられている限り任意である。
【０１５４】
以上、この発明の実施の形態を説明したが、この発明の物品管理システムは、収蔵庫内の所蔵品や、博物館・美術館の展示品に限られず、任意の物品の管理に応用可能なことは明らかである。
【０１５５】
また、この発明の物品管理システムは専用のシステムによらず、通常のコンピュータシステムを用いて実現可能である。例えば、無線通信装置に接続された複数のパーソナルコンピュータに上述の動作を実行するためのプログラムを格納した媒体（フロッピーディスク、ＣＤ−ＲＯＭ等）から該プログラムをインストールすることにより、上述の処理を実行する物品管理システムを構成することができる。
【０１５６】
また、コンピュータにプログラムを供給するための媒体は、通信媒体（通信回線、通信ネットワーク、通信システムのように、一時的且つ流動的にプログラムを保持する媒体）でも良い。例えば、通信ネットワークの掲示板（ＢＢＳ）に該プログラムを掲示し、これをネットワークを介して配信してもよい。
そして、このプログラムを起動し、ＯＳの制御下に、他のアプリケーションプログラムと同様に実行することにより、上述の処理を実行することができる。
【０１５７】
なお、ＯＳが処理の一部を分担する場合、あるいは、ＯＳが本願発明の１つの構成要素の一部を構成するような場合には、記録媒体には、その部分をのぞいたプログラムを格納してもよい。この場合も、この発明では、その記録媒体には、コンピュータが実行する各機能又はステップを実行するためのプログラムが格納されているものとする。
【０１５８】
【発明の効果】
以上説明したように、この発明によれば、物品の位置の特定や検索が容易になり、物品に関して記憶する情報が容易に更新され、物品に関しユーザが求める情報が、当該ユーザの求めるタイミングで提供される物品管理システムが実現される。
【図面の簡単な説明】
【図１】この発明の第１の実施の形態にかかる資料管理システムの基本構成を示す図である。
【図２】（ａ）及び（ｂ）は、図１の資料管理システムが行う所蔵品の解説の処理を表すフローチャートである。
【図３】図１の資料管理システムが行う所蔵品の点検の処理を表すフローチャートである。
【図４】図１の資料管理システムが行う所蔵品の履歴管理の処理を表すフローチャートである。
【図５】図１の資料管理システムが行う所蔵品の検索の処理を表すフローチャートである。
【図６】図１の資料管理システムが行う入出庫管理の処理を表すフローチャートである。
【図７】この発明の第２の実施の形態にかかる資料管理システムの基本構成を示す図である。
【図８】（ａ）及び（ｂ）は、図７の資料管理システムが行うＩＤ管理テーブルの更新の処理を表すフローチャートである。
【図９】（ａ）及び（ｂ）は、図７の資料管理システムが行う所蔵品の解説の処理を表すフローチャートである。
【図１０】図７の資料管理システムが行う入館者位置検索の処理を表すフローチャートである。
【図１１】図７の資料管理システムが行う混雑状況把握の処理を表すフローチャートである。
【図１２】図７の資料管理システムが行うナビゲーションの処理を表すフローチャートである。
【符号の説明】
１                  サーバ
２                  資料管理データベース
３、３ａ〜３ｄ      端末
４、４ａ〜４ｄ      検出機
５ａ〜５ｄ          非接触タグ
【図１】
0003599226.tif 000002
【図２】
0003599226.tif 000003
【図３】
0003599226.tif 000004
【図４】
0003599226.tif 000005
【図５】
0003599226.tif 000006
【図６】
0003599226.tif 000007
【図７】
0003599226.tif 000008
【図８】
0003599226.tif 000009
【図９】
0003599226.tif 000010
【図１０】
0003599226.tif 000011
【図１１】
0003599226.tif 000012
【図１２】
0003599226.tif 000013